(57)【要約】【課題】厚紙原稿の流し読み取りを可能とし、生産性の向上をはかる。【解決手段】流し読み取り部を固定読み取り部に対して傾けて配置し、流し読み取り部の搬送路をストレートにする。これにより、厚紙原稿の流し読み取りを可能な構成とした。【選択図】        図１
2004336269.tif 000002
【特許請求の範囲】
【請求項１】
走査光学部が移動することにより原稿の画像を読み取る第１の原稿読み取り部と、原稿が移動することにより原稿の画像を読み取る第２の原稿読み取り部を有する画像読み取り装置において、第２の読み取り部を第１の原稿読み取り部に対して傾けたことを特徴とした画像読み取り装置。
【請求項２】
特許請求第１項記載の画像読み取り装置において、前記第２の読み取り部の搬送路をストレートにしたことを特徴とした特許請求の範囲第１項記載の画像読み取り装置。
【請求項３】
特許請求第２項記載の画像読み取り装置において、前記第１の原稿読み取り部および第２の原稿読み取り部での画像入力を同一の光電変換素子で行うことを特徴とした特許請求の範囲第２項記載の画像読み取り装置。
【請求項４】
特許請求第３項記載の画像読み取り装置において、前記同一の光電変換素子に原稿情報を導くための、光路変更手段を有することを特許請求の範囲第３項記載の画像読み取り装置。
【請求項５】
走査光学部が移動することにより原稿の画像を読み取る第１の原稿読み取り部と、原稿が移動することにより原稿の画像を読み取る第２の原稿読み取り部を有する画像読み取り装置において、第２の読み取り部を第１の原稿読み取り部に対して傾け、前記第２の読み取り部の搬送路をストレートにし、前記第１の原稿読み取り部および第２の原稿読み取り部での画像入力を光路移動手段により同一の光電変換素子で行うことを特徴とした画像読み取り装置。
【発明の詳細な説明】
【０００１】
【発明の属する技術分野】
本発明は、画像読み取装置或いは画像形成装置の原稿読み取り部の構成に関する。
【０００２】
【従来の技術】
図３は、従来例に適用できる画像読み取り装置の正断面図を表わす。以下図面に従い従来例を説明する。
画像読み取り部の固定読み原稿ガラス（１１−１）上に置かれた原稿（１１−２）は、走査光学部としての第１ミラー台（１１−３）に配置された照明ランプ（１１−４）と反射笠（１１−５）によって照らされ、その反射光は同じく第１ミラー台に配置された第１ミラー（１１−６）によって第２．３ミラー台（１１−７）へ反射される。そして、第２ミラー（１１−８）、第３ミラー（１１−９）へと反射されレンズ（１１−１０）により集光され、読み取り素子としてのＣＣＤセンサー（１１−１１）で結像される。第１ミラー台、第２．３ミラー台は、図示しないレールに支持されており、光学駆動プーリー（１１−１２）の回転に伴い光学ワイヤー（１１−１３）により、矢印の方向に移動可能となっている。光学駆動プーリーは図示せぬ光学モータと連結され、原稿ガラス面からＣＣＤセンサーまでの光路長が常に一定になるように第１ミラー台、第２．３ミラー台を駆動する。
【０００３】
また、自動原稿送り部の給紙トレイ（１１−１４）に置かれた原稿（１１−１５）は、ピックアップローラー（１１−１６）によって給紙され、給紙ローラー（１１−１７）、分離ローラー（１１−１８）によって１枚の原稿に分離され、搬送ローラー対（１１−１９，２０）によって、流し読み原稿ガラス上を搬送される。このとき、原稿が移動することにより原稿面の画像情報を読み取る構成になっている。走査光学部としての第１ミラー台（１１−３）に配置された照明ランプ（１１−４）と反射笠（１１−５）によって照らされ、その反射光は同じく第１ミラー台に配置された第１ミラー（１１−６）によって第２．３ミラー台（１１−７）へ反射される。そして、第２ミラー（１１−８）、第３ミラー（１１−９）へと反射されレンズ（１１−１０）により集光され、読み取り素子としてのＣＣＤセンサー（１１−１１）で結像される。流し読み原稿ガラス上を通過した原稿は、排紙ローラー対（１１−２２）によって図示せぬ排紙トレイに排紙される。
【０００４】
従来、この種の画像読み取り装置は、＜特開平９−７４４６５号公報＞や＜特開平１１−２０５５３６号公報＞で開示されたように、画像読み取り部に固定読み取り部と流し読み取り部を有しており、両読み取り部は互いに平行に配置されている。一方、自動原稿送り装置の搬送路は、流し読み取り部を最下面としてループ状に配置されている。これにより、シート状原稿の流し読み取りを可能な構成とし生産性の向上が図れる。また、ブック原稿は固定読み取り部で画像入力を行うことで多種多様な原稿に対応が可能となる。しかしながら、従来例においては、照明効率を上げるために原稿ガラスとミラー台が接近した構成をとるため、搬送ローラー対の配置自由度がない。このため完全にストレートな搬送路を構成することができないことにより、以下の課題がある。
【０００５】
【発明が解決しようとする課題】
近年、流し読み装置の需要が高まるにつれ、更なる生産性の向上、画質の向上、あるいは多種多様な原稿への流し読み対応の要求が高まっている。
【０００６】
更なる生産性向上の要求には、シート原稿の搬送性を高める必要がある。しかしながら、従来の画像読み取り装置は、流し読み取り部への搬送路がループ状に配置されている。このため、搬送速度の増加に伴う、摩擦抵抗による搬送力の低下や折れ原稿のジャム余裕の減少により、紙搬送の信頼性に課題が生じている。また、更なる画質向上の要求には、以下の課題がある。流し読み取り部での原稿姿勢は搬送路に沿ってループ状になるため、読み取り位置以外の照明光がＣＣＤに結像されやすく画質の劣化の課題が生じている。また、多種多様な原稿の流し読みの要求には、以下の課題がある。ループ状の搬送路を原稿が通過する場合は、前述した搬送性の低下はもとより、搬送ガイドと原稿の摺察で原稿画像が削れるため、原稿種類が制約される課題が生じている。
【０００７】
【課題を解決するための手段】
本発明によれば、上述の問題点を解決するために、走査光学部が移動することにより原稿の画像を読み取る第１の原稿読み取り部と、原稿が移動することにより原稿の画像を読み取る第２の原稿読み取り部を有する画像読み取り装置において、第２の読み取り部を第１の原稿読み取り部に対して傾け、前記第２の読み取り部の搬送路をストレートにし、前記第１の原稿読み取り部および第２の原稿読み取り部での画像入力を光路移動手段により同一の光電変換素子で行う構成とした。
【０００８】
上記構成を用いることで、照明効率を上げるために原稿ガラスとミラー台が接近した構成においても、搬送ローラー対の配置自由度があり、流し読み取り部への搬送路をストレートに配置することが可能となる。これにより、更なる生産性向上の要求に対して、搬送速度の増加にも関わらず、摩擦抵抗による搬送力の低下や折れ原稿のジャム余裕の減少を抑制し、紙搬送の信頼性を確保することが可能となる。また、更なる画質向上の要求に対して、流し読み取り部での原稿姿勢をストレートにすることが可能となるため、読み取り位置以外の照明光がＣＣＤに結像されることを抑制し、高画質を得ることが可能となる。また、多種多様な原稿の流し読みの要求に対して、ストレートの搬送路とすることで搬送ガイドと原稿の摺察による原稿画像の削れを抑制し、多種多様な原稿に対応することが可能となる。
【０００９】
【発明の実施の形態】
（第一の実施例）
以下、本発明を図面に基づき詳細に説明する。
【００１０】
本発明に適用できる第一の実施例の画像読み取り装置の正断面図を図１に示した。
【００１１】
画像読み取り部の固定読み原稿ガラス（１−１）上に置かれた原稿（１−２）は、走査光学部としての第１ミラー台（１−３）に配置された照明ランプ（１−４）と反射笠（１−５）によって照らされ、その反射光は同じく第１ミラー台に配置された第１ミラー（１−６）によって第２．３ミラー台（１−７）へ反射される。そして、第２ミラー（１−８）、第３ミラー（１−９）へと反射されレンズ（１−１０）により集光され、読み取り素子としてのＣＣＤセンサー（１−１１）で結像される。第１ミラー台はレール１（１−２３）、第２．３ミラー台はレール２（１−２４）に支持されており、光学駆動プーリー（１−１２）の回転に伴い光学ワイヤー（１−１３）により矢印の方向に移動可能となっている。光学駆動プーリーは図示せぬ光学モータと連結され、原稿ガラス面からＣＣＤセンサーまでの光路長が常に一定になるように第１ミラー台、第２．３ミラー台を駆動する。
【００１２】
また、自動原稿送り部の給紙トレイ（１−１４）に置かれた原稿（１−１５）は、ピックアップローラー（１−１６）によって給紙され、給紙ローラー（１−１７）、分離ローラー（１−１８）によって１枚の原稿に分離され、搬送ローラー対（１−１９，２０）によって、流し読み原稿ガラス（１−２１）上を搬送される。第１ミラー台（１−３）は流し読み原稿ガラス（１−２１）の直下へ移動し、レール１の端部Ａに光学ワイヤーを介して光学モータの回転力で付勢され、流し読み原稿ガラス（１−２１）と平行かつ光路長が等しくなるようにＢを支点に回転する。この状態で原稿が移動することにより原稿面の画像情報を読み取る構成になっている。走査光学部としての第１ミラー台（１−３）に配置された照明ランプ（１−４）と反射笠（１−５）によって照らされ、その反射光は同じく第１ミラー台に配置された第１ミラー（１−６）によって第２．３ミラー台（１−７）へ反射される。そして、第２ミラー（１−８）、第３ミラー（１−９）へと反射されレンズ（１−１０）により集光され、読み取り素子としてのＣＣＤセンサー（１−１１）で結像される。流し読み原稿ガラス（１−２１）上を通過した原稿は、排紙ローラー対（１−２２）によって図示せぬ排紙トレイに排紙される。
【００１３】
（第二の実施例）
以下、本発明を図面に基づき詳細に説明する。
【００１４】
本発明に適用できる第一の実施例の画像読み取り装置の正断面図を図２に示した。
【００１５】
画像読み取り部の固定読み原稿ガラス（３−１）上に置かれた原稿（３−２）は、走査光学部としてのセンサ−台（３−３）に配置された照明ランプ（３−４）と反射笠（３−５）によって照らされ、その反射光は同じくセンサ−台に配置されたセルフォックレンズ（３−６）により集光され、読み取り素子としてのＣＣＤセンサ（３−７）で結像される。センサ−台はバネ（３−８）を介してミラー台（３−９）に配置され、固定読み原稿ガラス（３−１）にセンサ−台が付勢されることにより、原稿とＣＣＤセンサの距離が一定になるように構成されている。ミラー台はレール（３−１０）に支持されて、光学モータ（３−１１）の回転に伴い光学ベルト（３−１２）により、矢印の方向に移動可能となっている。
【００１６】
また、自動原稿送り部の給紙トレイ（３−１４）に置かれた原稿（３−１５）は、ピックアップローラー（３−１６）によって給紙され、給紙ローラー（３−１７）、分離ローラー（３−１８）によって１枚の原稿に分離され、搬送ローラー対（３−１９，２０）によって、流し読み原稿ガラス（３−２１）上を搬送される。ミラー台（３−９）は流し読み原稿ガラス（３−２１）の直下へ移動し、流し読み原稿ガラス（３−２１）にセンサ−台が付勢されることにより、流し読み原稿ガラス（３−２１）と平行かつ光路長が等しくなるようにＢを支点にミラー台が回転するように構成されている。この状態で原稿が移動することにより原稿面の画像情報を読み取る構成になっている。走査光学部としてのセンサ−台（３−３）に配置された照明ランプ（３−４）と反射笠（３−５）によって照らされ、その反射光は同じくセンサ−台に配置されたセルフォックレンズ（３−６）により集光され、読み取り素子としてのＣＣＤセンサ−（３−７）で結像される。流し読み原稿ガラス（１−２１）上を通過した原稿は、排紙ローラー対（３−２２）によって図示せぬ排紙トレイに排紙される。
【００１７】
【発明の効果】
本発明によれば、上述の問題点を解決するために、走査光学部が移動することにより原稿の画像を読み取る第１の原稿読み取り部と、原稿が移動することにより原稿の画像を読み取る第２の原稿読み取り部を有する画像読み取り装置において、第２の読み取り部を第１の原稿読み取り部に対して傾け、前記第２の読み取り部の搬送路をストレートにし、前記第１の原稿読み取り部および第２の原稿読み取り部での画像入力を光路移動手段により同一の光電変換素子で行う構成とした。
【００１８】
上記構成を用いることで、流し読み取り部への搬送路がストレートに配置することが可能となる。これにより、更なる生産性向上の要求に対して、搬送速度の増加にも関わらず、摩擦抵抗による搬送力の低下や折れ原稿のジャム余裕の減少を抑制し、紙搬送の信頼性を確保された。また、更なる画質向上の要求に対して、流し読み取り部での原稿姿勢をストレートにすることが可能となるため、読み取り位置以外の照明光がＣＣＤに結像されることを抑制し、高画質を得られた。また、多種多様な原稿の流し読みの要求に対して、ストレートの搬送路とすることで搬送ガイドと原稿の摺察による原稿画像の削れを抑制し、多種多様な原稿に対応することができた。
【図面の簡単な説明】
【図１】本発明に適用できる第一の実施例の画像読み取り装置の正断面図。
【図２】本発明に適用できる第二の実施例の画像読み取り装置の正断面図。
【図３】従来例に適用できる画像読み取り装置の正断面図発明（考案）説明書。
【図１】
2004336269.tif 000003
【図２】
2004336269.tif 000004
【図３】
2004336269.tif 000005